(57)【要約】【課題】片手操作しやすいボトル栓とする。【解決手段】ボトル本体１の上端にほぼ同径にて被さるように装着される栓体２に、ヒンジ軸３を中心に栓体２の飲み口２ａを開閉する片開き蓋４が設けられ、栓体２の側周に設けられて片開き蓋４を閉じ位置にロックし、ロックを解除するロック機構５が、片開き蓋４を閉じ位置にロックするロック部材６と、ボトル本体１を把持した片手７の親指７ａで操作されてロック、ロック解除を行うロック解除部材８と、を備え、ロック解除部材８は、ロック部材６をロック解除操作できない上動位置にてボトル本体１側からの指掛かり域に操作部８ａが及んで位置し、上動位置から下動してロック部材６よりも下方に突出した操作部８ａにてロック部材６のロック解除操作するようにして、上記の目的を達成する。【選択図】図３
2011235920.tif 000002
【特許請求の範囲】
【請求項１】
ボトル本体の上端にほぼ同径にて被さるように装着される飲み口を持った栓体と、この栓体の片側のヒンジ軸を中心に飲み口を開閉する片開き蓋と、栓体の側周に設けられ、片開き蓋を閉じ位置にロックし、かつロックを解除できるようにしたロック機構とを備え、
ロック機構は片開き蓋を閉じ位置にロックするロック部材と、ボトル本体を把持した片手の親指で操作されてロック部材のロック、ロック解除を行うロック解除部材と、を備え、
ロック解除部材は、ロック部材をロック解除操作できない上動位置にてボトル本体側からの指掛かり域に操作部が及んで位置し、前記上動位置から下動してロック部材よりも下方に突出した操作部にてロック部材のロック解除操作するようにしたことを特徴とするボトル栓。
【請求項２】
ボトル本体の上端にほぼ同径にて被さるように装着される飲み口を持った栓体と、この栓体の片側のヒンジ軸を中心に飲み口を開閉する片開き蓋と、栓体の側周に保護枠で囲って設けられ、片開き蓋を閉じ位置にロックし、かつロックを解除できるようにしたロック機構とを備え、
ロック機構は片開き蓋を閉じ位置にロックするロック部材と、ボトル本体を把持した片手の親指で操作されてロック部材のロック、ロック解除を行うロック解除部材と、を備え、
ロック解除部材は、ロック部材をロック解除操作できない上動位置にてボトル本体側からの指掛かり域に操作部が及んで位置し、前記上動位置から下動して保護枠から下方に突出した操作部にてロック部材のロック解除操作するようにしたことを特徴とするボトル栓。
【請求項３】
ボトル本体の上端にほぼ同径にて被さるように装着される飲み口を持った栓体と、この栓体の片側のヒンジ軸を中心に飲み口を開閉する片開き蓋と、栓体の側周に設けられ、片開き蓋を閉じ位置にロックし、かつロックを解除できるようにしたロック機構とを備え、
ロック機構は片開き蓋を閉じ位置にロックするロック部材と、ボトル本体を把持した片手の親指で操作されてロック部材のロック、ロック解除を行うロック解除部材と、を備え、
ロック解除部材は、ロック部材をロック解除操作できない上動位置にてボトル本体側からの指掛かり域に操作部が及んで位置し、前記上動位置から下動して栓体から下方に突出した操作部にてロック部材のロック解除操作するようにしたことを特徴とするボトル栓。
【請求項４】
栓体は、胴部径が６０ｍｍ未満のボトル本体に装着される請求項１〜３のいずれか１項に記載のボトル栓。
【発明の詳細な説明】
【技術分野】
【０００１】
ボトル本体の上端に被さるように装着される飲み口を持った栓体と、この栓体の片側のヒンジ軸を中心に飲み口を開閉する片開き蓋と、栓体の側周に設けられ、片開き蓋を閉じ位置にロックし、かつロックを解除できるようにしたロック機構とを備えたボトル栓に関する。
【背景技術】
【０００２】
このようなボトル栓は、下記特許文献１、２などで既に知られている。いずれのボトル栓も、栓体の側周に設けた保護枠内にロック機構が位置し、ロック解除部材は保護枠内でロック部材をロックし、ロックを解除する操作を行うようになっている。特に、ロック解除操作は操作部の押し込みによって行われるので、不用意な外力によってロック解除されやすいが、保護枠によってこのような外力からロック解除部材をガードしている。
【先行技術文献】
【特許文献】
【０００３】
【特許文献１】特開２００６−１５８７２９号公報
【特許文献２】特開２００７−１６１２８８号公報
【発明の概要】
【発明が解決しようとする課題】
【０００４】
しかし、このような保護枠によるガードは、ロック解除部材の操作部を狭い保護枠内に押し込んでロック解除することを強いられる上、保護枠は栓体の側周域内にあって、ボトル本体の手による把持位置から遠いので、ロック解除操作は容易とはいえない。
【０００５】
また、こうした片開き蓋は従来、比較的中太のボトル本体のボトル栓に多く適用され、直飲みにも便利なようにされてきたが、片手でボトル本体を握ると、親指の付け根部と他の指の指先との間にボトル本体の胴部の半周以下しか握れず、親指を自由にしてロック解除操作しようとすると、ボトル本体の握りが不安定になるので、片手操作にて片開き蓋を開き、そのまま飲み口から直飲みするには向かない。
【０００６】
本発明は、このような点に鑑み、片手操作しやすいボトル栓を提供することを目的としている。
【課題を解決するための手段】
【０００７】
上記のような目的を達成するために、本発明のボトル栓は、ボトル本体の上端にほぼ同径にて被さるように装着される飲み口を持った栓体と、この栓体の片側のヒンジ軸を中心に飲み口を開閉する片開き蓋と、栓体の側周に設けられ、片開き蓋を閉じ位置にロックし、かつロックを解除できるようにしたロック機構とを備え、ロック機構は片開き蓋を閉じ位置にロックするロック部材と、ボトル本体を握る片手の親指で操作されてロック部材のロック、ロック解除を行うロック解除部材と、を備え、ロック解除部材は、ロック部材をロック解除操作できない上動位置にてボトル本体側からの指掛かり域に操作部が及んで位置し、前記上動位置からさらに下動してロック部材よりも下方に突出した操作部の押動にてロック部材のロック解除操作するようにしたことを１つの特徴としている。
【０００８】
このような構成では、栓体がほぼ同径のボトル本体の上端に被さるように装着されて、ボトル本体の外面の延長域として、つまり余分な飛び出しによるロック機構の遠ざかりも、ボトル本体外面からの入り込みによるロック機構の遠ざかりも、無しに、ボトル本体を握る片手の親指によるロック機構へのアクセス距離が小さくなる。ロック解除部材は、前記アクセス距離が小さい距離的有利を生かして、ロック部材をロック解除操作できない上動位置にてボトル本体側からの指掛かり域に操作部が及んで位置することができ、ボトル本体を握る片手の親指で操作してロック部材のロック、ロック解除を行うことができる。特に、ロック解除部材は、操作部がボトル本体側からの指掛かり域に操作部が及ぶ上動位置からさらに下動されて、つまり、さらにボトル本体を握る片手側に寄った位置にてロック解除操作をすることができ、ロック部材よりも下方にあってロック解除操作時ロック部材が栓体側につかえて邪魔するのを回避できる。
【０００９】
本発明のボトル栓は、また、ボトル本体の上端にほぼ同径にて被さるように装着される飲み口を持った栓体と、この栓体の片側のヒンジ軸を中心に飲み口を開閉する片開き蓋と、栓体の側周に保護枠で囲って設けられ、片開き蓋を閉じ位置にロックし、かつロックを解除できるようにしたロック機構とを備え、ロック機構は片開き蓋を閉じ位置にロックするロック部材と、ボトル本体を把持した片手の親指で操作されてロック部材のロック、ロック解除を行うロック解除部材とを備え、ロック解除部材は、ロック部材をロック解除操作できない上動位置にてボトル本体側からの指掛かり域に操作部が及んで位置し、前記上動位置から下動して保護枠から下方に突出した操作部の押動にてロック部材のロック解除操作するようにしたことを別の特徴としている。
【００１０】
このような構成では、栓体がほぼ同径のボトル本体の上端に被さるように装着されて、ボトル本体の外面の延長域として、つまり余分な飛び出しによるロック機構の遠ざかりも、ボトル本体外面からの入り込みによるロック機構の遠ざかりも、無しに、ボトル本体を握る片手の親指のロック機構までのアクセス距離が小さくなる。ロック解除部材は、栓体の側周部の保護枠内に位置して不用意な外力から保護されながら、前記アクセス距離が小さい距離的有利を生かして、ロック部材をロック解除操作できない上動位置にてボトル本体側からの指掛かり域に操作部が及んで位置することができ、ボトル本体を握る片手の親指で操作してロック部材のロック、ロック解除を行うことができる。特に、ロック解除部材は、操作部がボトル本体側からの指掛かり域に操作部が及ぶ上動位置からさらに下動されて、つまり、さらにボトル本体を握る片手側に寄った位置にて保護枠から下方に突出した操作部の、保護枠に邪魔されない押動にてロック解除操作をすることができる。
【００１１】
本発明のボトル栓は、また、ボトル本体の上端にほぼ同径にて被さるように装着される飲み口を持った栓体と、この栓体の片側のヒンジ軸を中心に飲み口を開閉する片開き蓋と、栓体の側周に設けられ、片開き蓋を閉じ位置にロックし、かつロックを解除できるようにしたロック機構とを備え、ロック機構は片開き蓋を閉じ位置にロックするロック部材と、ボトル本体を把持した片手の親指で操作されてロック部材のロック、ロック解除を行うロック解除部材と、を備え、ロック解除部材は、ロック部材をロック解除操作できない上動位置にてボトル本体側からの指掛かり域に操作部が及んで位置し、前記上動位置から下動して栓体から下方に突出した操作部の押動にてロック部材のロック解除操作するようにしたことを他の特徴としている。
【００１２】
このような構成では、栓体がほぼ同径のボトル本体の上端に被さるように装着されて、ボトル本体の外面の延長域として、つまり余分な飛び出しによるロック機構の遠ざかりも、ボトル本体外面からの入り込みによるロック機構の遠ざかりも、無しに、ボトル本体を握る片手の親指のロック機構までのアクセス距離が小さくなる。ロック解除部材は、前記アクセス距離が小さい距離的有利を生かして、ロック部材をロック解除操作できない上動位置にてボトル本体側からの指掛かり域に操作部が及んで位置することができ、ボトル本体を握る片手の親指で操作してロック部材のロック、ロック解除を行うことができる。特に、ロック解除部材は、操作部がボトル本体側からの指掛かり域に操作部が及ぶ上動位置から、さらに下動されてボトル本体を握る片手側に寄った位置にて栓体から下方に突出した操作部の、栓体にも邪魔されない押動にてロック解除操作をすることができる。
【００１３】
上記において、さらに、栓体は、胴部径が６０ｍｍ未満、よりよくは５０ｍｍ未満のボトル本体に装着されるものとすることができる。
【００１４】
このような構成では、少年、少女以上の大方の人の片手によって、ボトル本体の半周以上を親指の根元部から他の手指の先端までで安定に握り、フリーになった親指をボトル本体に装着された栓体のロック機構におけるロック操作部材をロック、ロック解除操作することができる。
【発明の効果】
【００１５】
本発明の１つの特徴のボトル栓によれば、栓体が装着されるボトル本体とほぼ同径でボトル本体の外面の延長域として、ボトル本体を握る片手の親指によるロック機構へのアクセス距離が小さくなる距離的有利を生かして、ロック解除部材はロック部材をロック解除操作できない上動位置にてボトル本体側からの指掛かり域に操作部が及んで位置して、ボトル本体を握る片手の親指で操作してロック部材のロック、ロック解除を行うことができ、ロック解除操作したまま栓体にある飲み口から直飲みさせられる。特に、ロック解除部材は、操作部がボトル本体側からの指掛かり域に操作部が及ぶ上動位置からさらに下動されたボトル本体を握る片手側に寄った位置にて押動でき容易にロック解除操作をすることができる。
【００１６】
本発明の別の特徴のボトル栓によれば、栓体が装着されるボトル本体とほぼ同径でボトル本体の外面の延長域として、ボトル本体を握る片手の親指によるロック機構へのアクセス距離が小さくなる距離的有利を生かして、ロック解除部材はロック部材をロック解除操作できない上動位置にてボトル本体側からの指掛かり域に操作部が及んで位置して、ボトル本体を握る片手の親指で操作してロック部材のロック、ロック解除を行うことができ、ロック解除操作したまま栓体にある飲み口から直飲みさせられる。特に、ロック解除部材は、栓体側周の保護枠により不用意な外力から保護されながら、操作部がボトル本体側からの指掛かり域に操作部が及ぶ上動位置からさらに下動されて保護枠から下方に突出した操作部の、保護枠に邪魔されない押動にて容易にロック解除操作をすることができる。
【００１７】
本発明の他の特徴のボトル栓によれば、栓体が装着されるボトル本体とほぼ同径でボトル本体の外面の延長域として、ボトル本体を握る片手の親指によるロック機構へのアクセス距離が小さくなる距離的有利を生かして、ロック解除部材はロック部材をロック解除操作できない上動位置にてボトル本体側からの指掛かり域に操作部が及んで位置して、ボトル本体を握る片手の親指で操作してロック部材のロック、ロック解除を行うことができ、ロック解除操作したまま栓体にある飲み口から直飲みさせられる。特に、ロック解除部材は、操作部がボトル本体側からの指掛かり域に操作部が及ぶ上動位置から、さらに下動されてボトル本体を握る片手側に寄った位置にて栓体から下方に突出した操作部の、栓体にも邪魔されない押動にて容易にロック解除操作をすることができる。
【００１８】
上記に加え、さらに、栓体は、胴部径が６０ｍｍ未満、よりよくは５０ｍｍ未満のボトル本体に装着されることにより、大方の人の片手によって、ボトル本体の半周以上を親指の根元部から他の手指の先端までで安定に握り、フリーになった親指をボトル本体に装着された栓体のロック機構におけるロック操作部材をさらに容易にロック、ロック解除操作することができる。
【図面の簡単な説明】
【００１９】
【図１】本実施の形態に係るボトル栓１つの具体例をボトル本体への装着状態で示す正面図である。
【図２】同断面図である。
【図３】同片開き蓋を開いて示す側面図である。
【図４】同ボトル栓単体の片開き蓋が開いた状態で示す平面図である。
【図５】同ボトル栓単体の上方から見た斜視図である。
【図６】同ボトル栓単体の下方から見た斜視図である。
【発明を実施するための形態】
【００２０】
以下、本発明の実施の形態に係るボトル栓について図１〜図６を参照しながら説明し、本発明の理解に供する。しかし、以下の説明は本発明の具体例であって、特許請求の範囲の記載の内容を限定するものではない。
【００２１】
本実施の形態のボトル栓は、図１、図２に示すようにボトル本体１の上端にほぼ同径にて被さるように装着され、図２に示すように、飲み口２ａを持った栓体２と、この栓体２の片側のヒンジ軸３を中心に飲み口２ａを開閉する片開き蓋４と、栓体２の側周に設けられ、片開き蓋４を図１、図２に示す閉じ位置にロックし、かつロックを解除できるようにしたロック機構５とを備えている。ロック機構５は片開き蓋４を閉じ位置にロックするロック部材６と、ボトル本体１を図３に示すように握る片手７の親指で操作されてロック部材６のロック、ロック解除を行うロック解除部材８と、を備えている。ロック解除部材８は、ロック部材６をロック解除操作できない図２に示す上動位置にてボトル本体１側からの前記片手７による指掛かり域に操作部８ａが及んで位置し、前記上動位置からさらに下動してロック部材６よりも下方に突出した操作部８ａの押動にてロック部材６のロック解除操作するようにした１つの特徴を有している。
【００２２】
このように、栓体２がほぼ同径のボトル本体１の上端に被さるように装着されて、ボトル本体１の外面の延長域として、つまり余分な飛び出しによるロック機構５の遠ざかりも、ボトル本体１外面からの入り込みによるロック機構５の遠ざかりも、無しに、ボトル本体１を握る片手７の親指によるロック機構５へのアクセス距離が小さくなる。ロック解除部材８は、前記アクセス距離が小さい距離的有利を生かして、ロック部材６をロック解除操作できない図２に示す上動位置にてボトル本体１側からの指掛かり域に操作部８ａが及んで位置することができ、ボトル本体１を握る片手７の親指で操作してロック部材６のロック、ロック解除を行うことができる。特に、ロック解除部材８は、操作部８ａがボトル本体１側からの指掛かり域に操作部８ａが及ぶ上動位置からさらに下動されて、つまり、ボトル本体１を握る片手７側にさらに寄った位置にてロック解除操作をすることができる。また、ロック解除部材８はロック部材６よりも下方にあるので、ロック解除部材８をロック解除操作するのに、ロック部材６が栓体２の側につかえて邪魔になるのを回避することができる。
【００２３】
したがって、栓体２が装着されるボトル本体１とほぼ同径でボトル本体１の外面の延長域として、ボトル本体１を握る片手７の親指によるロック機構５へのアクセス距離が小さくなる距離的有利を生かして、ロック解除部材８はロック部材６をロック解除操作できない上動位置にてボトル本体１側からの指掛かり域に操作部８ａが及んで位置して、ボトル本体１を握る片手７の親指で操作してロック部材６のロック、ロック解除を行うことができ、ロック解除操作したまま栓体２にある飲み口２ａから直飲みさせられる。特に、ロック解除部材８は、操作部８ａがボトル本体１側からの指掛かり域に操作部８ａが及ぶ上動位置からさらに下動されたボトル本体１を握る片手７側に寄った位置にて押動でき容易にロック解除操作をすることができ、ロック部材６が邪魔になることもない。
【００２４】
本実施の形態のボトル栓は、また、図１、図２に示すようにボトル本体１の上端にほぼ同径にて被さるように装着され、図２に示すように、飲み口２ａを持った栓体２と、この栓体２の片側のヒンジ軸３を中心に飲み口２ａを開閉する片開き蓋４と、栓体２の側周に保護枠１１で囲って設けられ、片開き蓋４を閉じ位置にロックし、かつロックを解除できるようにしたロック機構５とを備えている。ロック機構５は片開き蓋４を閉じ位置にロックするロック部材６と、ボトル本体１を把持した片手７の親指で操作されてロック部材６のロック、ロック解除を行うロック解除部材８と、を備えている。ロック解除部材８は、ロック部材６をロック解除操作できない上動位置にてボトル本体１を図３に示すように握った片手７からの指掛かり域に操作部８ａが及んで位置し、前記上動位置から下動して保護枠１１から下方に突出した操作部８ａの押動にてロック部材６のロック解除操作するようにした別の特徴を有している。
【００２５】
このように、栓体２がほぼ同径のボトル本体１の上端に被さるように装着されて、ボトル本体１の外面の延長域として、つまり余分な飛び出しによるロック機構５の遠ざかりも、ボトル本体１外面からの入り込みによるロック機構５の遠ざかりも、無しに、ボトル本体１を握る片手７の親指のロック機構５までのアクセス距離が小さくなる。ロック解除部材８は、栓体２の側周部の保護枠１１内に位置して不用意な外力から保護されながら、前記アクセス距離が小さい距離的有利を生かして、ロック部材６をロック解除操作できない上動位置にてボトル本体１側からの、つまりボトル本体１を握った片手７からの指掛かり域に操作部８ａが及んで位置することができ、ボトル本体１を握る片手７の親指で操作してロック部材６のロック、ロック解除を行うことができる。特に、ロック解除部材８は、操作部８ａがボトル本体１側からの指掛かり域に操作部８ａが及ぶ上動位置からさらに下動されて、つまり、ボトル本体１を握る片手７側にさらに寄った位置にて保護枠１１から下方に突出した操作部８ａの、保護枠１１に邪魔されない押動にてロック解除操作をすることができる。
【００２６】
したがって、栓体２が装着されるボトル本体１とほぼ同径でボトル本体１の外面の延長域として、ボトル本体１を握る片手７の親指によるロック機構５へのアクセス距離が小さくなる距離的有利を生かして、ロック解除部材８はロック部材６をロック解除操作できない上動位置にてボトル本体１側からの指掛かり域に操作部８ａが及んで位置して、ボトル本体１を握る片手７の親指で操作してロック部材６のロック、ロック解除を行うことができ、ロック解除操作したまま栓体２にある飲み口２ａから直飲みさせられる。特に、ロック解除部材８は、栓体２側周の保護枠１１により不用意な外力から保護されながら、操作部８ａがボトル本体１側からの指掛かり域に操作部８ａが及ぶ上動位置からさらに下動されて保護枠１１から下方に突出した操作部８ａの、保護枠１１に邪魔されない押動にて容易にロック解除操作をすることができる。
【００２７】
本実施の形態のボトル栓は、また、図１、図２に示すようにボトル本体１の上端にほぼ同径にて被さるように装着され、図２に示すように、飲み口２ａを持った栓体２と、この栓体２の片側のヒンジ軸３を中心に飲み口２ａを開閉する片開き蓋４と、栓体２の側周に設けられ、片開き蓋４を閉じ位置にロックし、かつロックを解除できるようにしたロック機構５とを備えている。ロック機構５は片開き蓋４を閉じ位置にロックするロック部材６と、ボトル本体１を図３に示すように把持した片手７の親指で操作されてロック部材６のロック、ロック解除を行うロック解除部材８と、を備えている。ロック解除部材８は、ロック部材６をロック解除操作できない上動位置にてボトル本体１側からの指掛かり域に操作部８ａが及んで位置し、前記上動位置から下動して栓体２から下方に突出した操作部８ａの押動にてロック部材６のロック解除操作するようにした他の特徴をも有している。
【００２８】
このように、栓体２がほぼ同径のボトル本体１の上端に被さるように装着されて、ボトル本体１の外面の延長域として、つまり余分な飛び出しによるロック機構５の遠ざかりも、ボトル本体外面からの入り込みによるロック機構５の遠ざかりも、無しに、ボトル本体１を握る片手７の親指のロック機構５までのアクセス距離が小さくなる。ロック解除部材８は、前記アクセス距離が小さい距離的有利を生かして、ロック部材６をロック解除操作できない上動位置にてボトル本体１側から、ボトル本体１を握る片手７からの指掛かり域に操作部８ａが及んで位置することができ、ボトル本体１を握る片手７の親指で操作してロック部材６のロック、ロック解除を行うことができる。特に、ロック解除部材８は、操作部８ａがボトル本体１側からの指掛かり域に操作部８ａが及ぶ上動位置から、下動されてボトル本体１を握る片手７側にさらに寄った位置にて栓体２から下方に突出した操作部８ａの、栓体２にも邪魔されない押動にてロック解除操作をすることができる。
【００２９】
したがって、栓体２が装着されるボトル本体１とほぼ同径でボトル本体１の外面の延長域として、ボトル本体１を握る片手７の親指によるロック機構５へのアクセス距離が小さくなる距離的有利を生かして、ロック解除部材８はロック部材６をロック解除操作できない上動位置にてボトル本体１側からの指掛かり域に操作部８ａが及んで位置して、ボトル本体１を握る片手７の親指で操作してロック部材６のロック、ロック解除を行うことができ、ロック解除操作したまま栓体２にある飲み口２ａから直飲みさせられる。特に、ロック解除部材８は、操作部８ａがボトル本体１側からの指掛かり域に操作部８ａが及ぶ上動位置から、さらに下動されてボトル本体１を握る片手７側に寄った位置にて栓体１から下方に突出した操作部８ａの、栓体２にも邪魔されない押動にて容易にロック解除操作をすることができる。    
【００３０】
ここで、栓体１は、胴部径が６０ｍｍ未満、よりよくは５０ｍｍ未満のボトル本体１に装着されるものとすることができ、胴部径が６０ｍｍ未満でも、少年、少女以上の大方の人の片手７によって、図３に示すようにボトル本体１の半周以上を、親指７ａの根元部７ａ１から他の手指、特に長い中指および薬指７ｂの先端７ｂ１までで、人差し指、小指を添えて安定に握り、フリーになった親指７ａをボトル本体１に装着された栓体２のロック機構５におけるロック操作部材６をロック、ロック解除操作することができ、ロック解除操作後はそのままの握り状態で栓体２にある飲み口２ａによって直飲みさせられる。５０ｍｍ未満とすれば、安定に片手持ちされる人数が格段に増大する。  
【００３１】
以下、既述の幾つかの特徴を有した本具体例につき、さらに詳述すると、ボトル本体１は所定の径範囲でストレートに形成されればよいが、図示例では、胴部径が５０ｍｍのストレートな金属製の真空二重容器からなり、上端に胴部径よりも小径に形成された口部１ａを有している。栓体２もボトル本体２の上端にほぼ同径に被さり飲み口２ａを有するものであれば特にその形態は問わない。図示例では口部１ａの内ねじ１２に螺合して口部１ａに着脱できるように装着されてボトル本体１内に飲み口２ａの椀状底部１４に開口している連通口１４ａを通じ連通するようにされる。樹脂製の栓本体部１３と、この栓本体部１３に一体成形されるか高周波溶着して一体化されて口部１ａの外側に被さり、ボトル本体１の胴部とほぼ同径となるカバー壁１５とを有している。栓本体部１３の内ねじ１２への螺合壁１３ａの下端外周にはシールパッキン１６が装着され、このシールパッキン１６が口部１ａの奥部にある小径化されたネッキング部１０に圧接して、口部１ａと螺合壁１３ａとの間に飲料が侵入して外部に漏れ出るのを阻止するようにしている。
【００３２】
片開き蓋４は、基本的に飲み口２ａを開閉できればよく、材質も特に問わない。図示例では樹脂製としてあり、カバー壁１５の栓本体部１３のフランジ部１３ｂに係合穴３１が着脱できるように上方から着脱できるように係合された天板上に立ち上がる飲み口２ａと、飲み口２ａ奥部にある椀状底部の連通口１４ａとを同時に開閉するようにしてある。このために、片開き蓋４はカバー壁１５の天板の後部にヒンジ軸３により開閉できるように軸支され、閉じ位置では図１、図２、図５、図６に示すようにカバー壁１５の天板および飲み口２ａを上方から覆い、片開き蓋４の天板内面に設けられた内蓋１７によって飲み口２ａおよび連通口１４ａを閉じるようにしている。内蓋１７は二重壁基部１７ａを有した筒状で、その基部内筒を片開き蓋４の内面に一体形成された支持筒部４ａに外嵌めして装着され、基部外筒の片開き蓋４内面への当接と、基部内筒のフック片１７ｂの支持筒部４ａの係合部４ｂとの弾性係合による抜け止めとによってガタつきや脱落を防止されている。二重壁基部１７ａおよび一重壁下部１７ｃの外周りには飲み口２ａ、連通口１４ａをシール状態で密閉する１つのシールパッキン１８を装着している。シールパッキン１８は飲み口２ａ、連通口１４ａをシールするために、飲み口２ａ対応位置で上端部が二重壁基部１７ａの外筒外面の溝１７ｄに弾性係合して装着され、この上端部を基部として飲み口２ａを、圧接代Ｓ１を有して閉じるシールフランジ１８ａが形成されている。また、シールパッキン１８は、シールフランジ１８ａの基部から二重壁部１７ａおよび一重壁部１７ｃの外周とそれらの間の段部１７ｅに被さって下方に延び、一重壁部１７ｃの下端に絞り部１８ｂが圧接してさらに延びて閉じ、連通口１４ａに圧接代Ｓ２を有して閉じる中空のシール栓部１８ｃを形成している。なお、片開き蓋４はヒンジ軸３のまわりに装着した蔓巻きばね１９によって開き方向に付勢され、閉じ位置へのロックが解除されると自動的に開かれる。しかし、付勢は必須ではない。また、片開き蓋４がばね１９の付勢によって急激に開かれるのを抑制し、また開き位置から不用意に閉じないようにするため、ヒンジ軸３まわりには、図１に示すようなヒンジ軸３の軸受け部２１の外周の制動・位置決め突起２１ａに対する、片開き蓋４の後部壁に設けた弾性舌片４ｃの開き側への摺動による摩擦制動と、開き位置での閉じ側への係合とが利用される。
【００３３】
ロック機構５は、片開き蓋４を閉じ位置にロックし、このロックを解除する動きができるロック部材６と、上動位置と下動位置とで、ロック部材６のロック、ロック解除を行うロック解除部材８とを持つものであれば、その余の動作方式、動作伝達方式は特に問わない。図示例では、カバー壁１５の片開き蓋４の自由端部４ｄとなる前部の側周の左右両側に一体に形成された保護枠１１内にロック機構５を配置し、保護枠１１の両側壁間にロック部材６およびロック解除部材８を軸２２によって軸支してある。ロック部材６は軸２２まわりに回動でき、下端６ａとカバー壁１５との間に働かせたばね２３の付勢によって、上端の係合爪６ｂが閉じた片開き蓋４の自由端部４ｄにある係合部４ｅと弾性係合して片開き蓋４を閉じ位置にロックするロック位置に常時あるようにされる。ロック解除部材８は、ロック部材６の背部に位置して、軸２２と上下方向に長い長孔８ｃで嵌り合って既述した上動位置と下動位置との間の上下動と、軸２２まわりのロック部材６と共の回動とができるように軸支されている。
【００３４】
ロック解除部材８は上動位置と下動位置とに安定させるロック部材６などとの間に図示しないクリック係合部などを設けておくのが好適である。ロック解除部材８は上動位置では、下端の内側に出張った当接部８ｂがカバー壁１５の前部下端近くに一体形成された外方に向くストッパ部１５ａに対向することで、ロック解除部材８の、ロック部材６を伴い図１において軸２２を中心に回動させて、係合爪６ｂを閉じた片開き蓋４の自由端の係合部４ｅとの係合を外し、片開き蓋４の閉じ位置へのロックを解除しようとするのを、当接部８ｂおよびストッパ部１５ａが当接し合って阻止するので、ロック部材６をロックし、ロック状態に保持することができる。なお、このようなロック状態にあるときに、片開き蓋４が閉じてきた場合は、片開き蓋４の係合部４ｅがロック部材６の係合爪６ｂの斜面どうしが当接し合って、係合爪６ｂをロック部材６とロック解除部材８との間の隙間やロック解除部材８の弾性変形を伴うのけ反りによる遊びを得ることで、係合部６ｂは係合爪６ｂを弾性的に押し退けるようにして係合爪６ｂをその下側に乗り越え、この乗り越え後に弾性復帰する係合爪６ｂに係合し合って閉じ状態にロックされる。
【００３５】
ロック解除部材８を操作部８ａ、特に上側の横一文字な突条部８ａで操作して、下動位置にすると、当接部８ｂがストッパ部１５ａとの対向位置から下方に位置ずれするので、ロック解除部材８のロック部材６を伴っての軸２２を中心とした回動が阻止されなくなり、ロック部材６のロック状態へのロックを解除することができる。これによって、ロック解除部材８を操作部８ａ、特に下側の凹凸部を押動、つまりカバー壁１５側に押動することにより、ロック解除部材８はロック部材６を伴い、軸２２を中心に反時計回りに回動されて、ロック部材６の係合爪６ｂを片開き蓋４の自由端部の係合部４ｅから外してロックを解除し、片開き蓋４がばね１９の付勢によって図３、図４に示す開き位置まで自動的に開かれる。特に、ロック解除部材８は、下動位置では図２に仮想線で示すようにロック部材６よりも下方に突出するので、ロック部材６との重なりの内部で、ロック部材６がカバー壁１５側間につかえることなく確実にロック解除操作ができる。また、ロック解除部材８は下動位置では図１、図２の仮想線、図３、図５、図６に示すように、保護枠１１から下方に突出した操作部８ａを、保護枠１１の邪魔無しに容易にロック解除操作ができる。しかも、操作部８ａは栓体２よりも下に、従って、栓体２からボトル本体１の胴部側に、換言すると栓体２とボトル本体１との割線よりも下に突出しているので、ボトル本体１側から操作するアクセス距離がさらに小さくなるので、手の小さな人でも片手操作して使用しやすい。また、ボトル本体１の栓体２から下方に離れた位置を図３に示すように片手７により握っても、親指７ａの指先に対しロック解除部材８の操作部８ａはアクセス域に位置することができ、ばね１９の付勢により開かれる片開き蓋４が開き位置でボトル本体１を握っている片手７の手指７ｂに当接するのを回避しやすい利点もある。
【００３６】
なお、当接部８ｂおよびストッパ部１５ａは、ロック解除部材８および栓体２の一方に一体形成した１つのものとするなど、どのような形態でもよいが、図示例のようにロック解除部材８および栓体２の双方に分担形成することで、ロック解除部材８および栓体２が大きく嵩張るのを防止しながら、双方によってばね２３がその他内部ディテール部と共に下方から外観されるのを防止することができる。また、ロック解除部材８は上動位置側にばねで付勢しておくこともできる。この場合、ロック解除部材８はばねに抗して上動位置から下動位置に移動させた後、下動位置に保持した状態で押動しロック解除操作することになる。しかし、ロック解除操作後ロック解除部材８を操作から解放すると、ロック部材６およびロック解除部材８はともにロック位置に自動復帰するので使用しやすくなる。また、栓本体部１３とカバー壁１５とは分離できるので、液通路など細部まで丸洗いできるし、内蓋１７も場合によっては分離できるので、お手入れ性がよい。
【００３７】
さらに、保護枠１１はロック機構１５を左右両側から囲って不用意な外力から保護しているが、片開き蓋４の自由端にも保護枠１１の上端に連続してロック機構５を上方から囲う補助保護枠１１ａを形成して、ロック機構５の上部も不用意な外力から保護するようにしている。しかし、両側保護枠１１の下端、および下端間は、ロック解除部材８の操作部８ａの下方への突出のために、ストッパ部１５ａを除く範囲が開放部となっており、この開放部を当接部８ｂが覆う状態となっている。また、片開き蓋４には軸受け部２１の外周の両端部に閉じ位置から開き位置まで摺動する図４に示すような摺動片４１、４１が設けられ、片開き蓋４がヒンジ軸３まわりで左右にガタつくのを防止している。
【産業上の利用可能性】
【００３８】
本発明は、片手で握れるボトル本体１に用いられるボトル栓に実用して、片開き蓋の閉じ位置へのロックを解除する操作から開かれた飲み口からの直飲みまでを、ボトル本体を握った片手により連続して容易に行える。
【符号の説明】
【００３９】
１  ボトル本体
２  栓体
２ａ  飲み口
３  ヒンジ軸
４  片開き蓋
５  ロック機構
６  ロック部材
７  片手
８  ロック解除部材
８ａ  操作部
１１  保護枠
１２  内ねじ
１３  栓本体部
１３ａ  螺合壁
１４  底部
１４ａ  連通口
１５  カバー壁
【図１】
2011235920.tif 000003
【図２】
2011235920.tif 000004
【図３】
2011235920.tif 000005
【図４】
2011235920.tif 000006
【図５】
2011235920.tif 000007
【図６】
2011235920.tif 000008